(57)【要約】  本技術は、例えば、DVB-T2等の受信信号に含まれる、例えば、P1信号等の所定の信号の誤検出を防止することができるようにする受信装置、受信方法、及び、プログラムに関する。相関算出部は、元信号と、その元信号の少なくとも一部のコピーから得られる重複信号とが配置された所定の信号を含む受信信号どうしの相関値を求める。平均電力算出部は、受信信号の平均電力を求める。正規化部は、相関値を、受信信号の平均電力で正規化した正規化相関値を求める。本技術は、例えば、DVB-T2の受信信号から、プリアンブル信号であるP1信号を検出する場合等に適用することができる。
2014171341.tif 000002
【特許請求の範囲】
【請求項１】
元信号と、前記元信号の少なくとも一部のコピーから得られる重複信号とが配置された所定の信号を含む受信信号どうしの相関値を求める相関算出部と、
前記受信信号の平均電力を求める平均電力算出部と、
前記相関値を、前記平均電力で正規化した正規化相関値を求める正規化部と
を備える受信装置。
【請求項２】
前記重複信号は、前記元信号の少なくとも一部のコピーを周波数シフトした信号であり、
前記相関算出部は、前記重複信号を元の周波数の信号に戻すように、前記受信信号を周波数シフトした周波数シフト信号と、前記受信信号との相関値を求める
請求項１に記載の受信装置。
【請求項３】
前記所定の信号は、プリアンブル信号である
請求項２に記載の受信装置。
【請求項４】
前記平均電力算出部は、前記所定の信号の区間の平均電力を求める
請求項２に記載の受信装置。
【請求項５】
前記正規化相関値に基づいて、前記所定の信号の位置を探索する探索部をさらに備える
請求項２に記載の受信装置。
【請求項６】
元信号と、前記元信号の少なくとも一部のコピーから得られる重複信号とが配置された所定の信号を含む受信信号どうしの相関値を求める相関算出ステップと、
前記受信信号の平均電力を求める平均電力算出ステップと、
前記相関値を、前記平均電力で正規化した正規化相関値を求める正規化ステップと
を含む受信方法。
【請求項７】
元信号と、前記元信号の少なくとも一部のコピーから得られる重複信号とが配置された所定の信号を含む受信信号どうしの相関値を求める相関算出部と、
前記受信信号の平均電力を求める平均電力算出部と、
前記相関値を、前記平均電力で正規化した正規化相関値を求める正規化部と
して、コンピュータを機能させるためのプログラム。
【発明の詳細な説明】
【技術分野】
【０００１】
本技術は、受信装置、受信方法、及び、プログラムに関し、特に、例えば、受信信号に含まれる所定の信号の誤検出を防止することができるようにする受信装置、受信方法、及び、プログラムに関する。
【背景技術】
【０００２】
地上ディジタル放送の規格としては、例えば、DVB-T2(Digital Video Broadcasting - Terrestrial 2)がある。DVB-T2では、OFDM(Orthogonal Frequency Division Multiplexing)方式（直交周波数分割多重方式）と呼ばれる変調方式が用いられている。【０００３】
OFDM方式では、伝送帯域内に多数の直交するサブキャリアが設けられ、それぞれのサブキャリアの振幅及び位相にデータが割り当てられることにより、PSK(Phase Shift Keying)やQAM(Quadrature Amplitude Modulation)等のディジタル変調が行われる。【０００４】
DVB-T2に準拠したディジタル信号（以下、DVB-T2信号ともいう）のフレームの種類としては、DVB-T2に準拠したフレーム(以下、T2フレームともいう)と、将来規格化される、DVB-T2以外の規格に準拠したフレーム（以下、FEF（Future Extension Frame）パート（part）ともいう）とがある。【０００５】
DVB-T2信号の各フレームの先頭には、プリアンブルであるP1信号が配置される。【０００６】
DVB-T2信号のフレームのうちのT2フレームについては、P1信号の後、プリアンブルであるP2信号と、ペイロード（ユーザデータ）としてのデータ信号とが配置される。【０００７】
ここで、P1信号は、S1信号及びS2信号を有する。S1信号及びS2信号には、フレームのFFT（Fast Fourier Transform）サイズ、通信方式がMISO（Multiple Input Single Output）であるか、又は、SISO(Single Input Single Output)であるかを表す通信方式情報、及び、フレームがFEFパートであるかどうかを表す種類情報が含まれる。【０００８】
したがって、P1信号（が有するS1信号及びS2信号）は、そのP1信号が含まれる（配置されている）フレームの情報を表すので、DVB-T2信号を受信する受信装置は、まず、DVB-T2信号を受信して得られる受信信号から、P1信号を検出し、即座に復号（復調）する。【０００９】
また、DVB-T2信号に、T2フレームとFEFパートとが混在する場合、DVB-T2信号を受信する受信装置のうちの、T2フレームを復号する受信装置（以下、T2受信装置ともいう）は、T2フレームとFEFパートとが混在するDVB-T2信号を受信して得られる受信信号から検出されるP1信号に含まれる種類情報に基づいて、受信信号に含まれるT2フレームのみを取り出して復号する。【００１０】
ところで、DVB-T2では、FEFパートの内容についての規定がないため、FEFパートにどのような信号が配置されるのかは、未知である。【００１１】
したがって、T2受信装置が、AGC(Automatic Gain Control )機能を有する場合、FEFパートの区間において、そのFEFパートのレベル（電力）に、AGC機能のゲインが追従し（FEFパートの電力を所定の電力にするように、AGCのゲインが制御され）、T2フレームの区間（のT2フレームの受信信号）に影響を及ぼすおそれがある。【００１２】
そこで、DVB-T2のインプリメンテイションガイドライン（非特許文献１）では、FEFパートの区間については、AGC機能を停止させ、ゲインを、停止直前の一定値に維持（ホールド）することが提案されている。
【先行技術文献】
【非特許文献】
【００１３】
【非特許文献１】DVB-T2 Implementation Guidelines BlueBook A133(IG) p173 10.4.2.6 FEFs
【発明の概要】
【発明が解決しようとする課題】
【００１４】
ところで、T2受信装置において、DVB-T2信号を受信してから、P1信号を復号するまでには、ある程度の遅延時間が存在する。【００１５】
そのため、FEFパートの区間に、AGC機能を正確に停止することが困難な場合があり、FEFパートの区間の開始後の僅かな区間（FEFパートの先頭のP1信号の直後の僅かな区間）に、AGC機能のゲインが、FEFパートのレベルに追従することがある。【００１６】
この場合、FEFパートのレベルが、T2フレームのレベルと極端に異なるときには、FEFパートの直後のT2フレームの先頭において、そのT2フレームのレベルが極端に大きく、又は、小さくなり、T2フレームの先頭に配置されているP1信号の誤検出が生じるおそれがある。【００１７】
本技術は、このような状況に鑑みてなされたものであり、例えば、DVB-T2等の受信信号に含まれる、例えば、P1信号等の所定の信号の誤検出を防止することができるようにするものである。
【課題を解決するための手段】
【００１８】
本技術の受信装置、又は、プログラムは、元信号と、前記元信号の少なくとも一部のコピーから得られる重複信号とが配置された所定の信号を含む受信信号どうしの相関値を求める相関算出部と、前記受信信号の平均電力を求める平均電力算出部と、前記相関値を、前記平均電力で正規化した正規化相関値を求める正規化部とを備える受信装置、又は、そのような受信装置として、コンピュータを機能させるためのプログラムである。【００１９】
本技術の受信方法は、元信号と、前記元信号の少なくとも一部のコピーから得られる重複信号とが配置された所定の信号を含む受信信号どうしの相関値を求める相関算出ステップと、前記受信信号の平均電力を求める平均電力算出ステップと、前記相関値を、前記平均電力で正規化した正規化相関値を求める正規化ステップとを含む受信方法である。【００２０】
以上のような本技術においては、元信号と、前記元信号の少なくとも一部のコピーから得られる重複信号とが配置された所定の信号を含む受信信号どうしの相関値が求められるとともに、前記受信信号の平均電力が求められ、前記相関値を、前記平均電力で正規化した正規化相関値が求められる。【００２１】
なお、受信装置は、独立した装置であっても良いし、１つの装置を構成している内部ブロックであっても良い。【００２２】
また、プログラムは、伝送媒体を介して伝送することにより、又は、記録媒体に記録して、提供することができる。
【発明の効果】
【００２３】
本技術によれば、誤検出を防止することができる。特に、例えば、受信信号に含まれる所定の信号の誤検出を防止することができる。【００２４】
なお、本明細書に記載された効果は、あくまで例示であり、本技術の効果は、本明細書に記載された効果に限定されるものではなく、付加的な効果があってもよい。
【図面の簡単な説明】
【００２５】
【図１】本技術を適用した伝送システムの一実施の形態の構成例を示すブロック図である。
【図２】送信装置１が送信するDVB-T2信号のフォーマットの例を示す図である。
【図３】送信装置１の構成例を示すブロック図である。
【図４】1Kキャリア生成部２４により生成される1K信号のサブキャリアのうちの情報送信用キャリアを説明する図である。
【図５】P1信号の構成例を示す図である。
【図６】受信装置２の構成例を示すブロック図である。
【図７】P1復号処理部５９の構成例を示すブロック図である。
【図８】相関器７１の構成例を示すブロック図である。
【図９】相関算出部９０で求められる第１の相関値B、及び、第２の相関値Cの例を示す図である。
【図１０】第１の相関値C、及び、第２の相関値Bから求められる単純相関値の例を示す図である。
【図１１】送信信号、受信信号、ゲイン、及び、単純相関値の例を示す図である。
【図１２】相関器７１の他の構成例を示すブロック図である。
【図１３】相関器７１の処理の例を説明するフローチャートである。
【図１４】本技術を適用したコンピュータの一実施の形態の構成例を示すブロック図である。
【発明を実施するための形態】
【００２６】
＜本技術を適用した伝送システムの一実施の形態＞
【００２７】
図１は、本技術を適用した伝送システム（システムとは、複数の装置が論理的に集合した物をいい、各構成の装置が同一筐体中にあるか否かは、問わない）の一実施の形態の構成例を示すブロック図である。
【００２８】
図１において、伝送システムは、送信装置１と受信装置２とを有する。
【００２９】
送信装置１は、例えば、テレビジョン放送の番組等の送信（放送）（伝送）を、例えば、衛星回線や、地上波、ケーブル（有線回線）等の通信路３を介して行う。
【００３０】
すなわち、送信装置１は、例えば、DVB-T2に準拠した送信装置であり、番組としての画像データや音声データ等を、送信の対象の送信対象データとして、DVB-T2信号によって送信する。ここで、送信装置１が、DVB-T2に準拠した送信装置である場合、通信路３は、地上波である。
【００３１】
受信装置２は、送信装置１から通信路３を介して送信されてくる信号を受信し、その受信によって得られる受信信号を復号（復調）して出力する。
【００３２】
すなわち、受信装置２は、例えば、DVB-T2に準拠したT2受信装置としての、例えば、TV（テレビジョン受像機）等であり、送信装置１から通信路３を介して送信されてくるDVB-T2信号を受信し、そのDVB-T2信号の受信によって得られる受信信号に含まれるT2フレームを、元の送信対象データとしての画像データや音声データ等に復号して出力する。
【００３３】
＜DVB-T2信号＞
【００３４】
図２は、図１の送信装置１が送信するDVB-T2信号のフォーマットの例を示す図である。
【００３５】
DVB-T2信号は、複数のフレームで構成される。
【００３６】
DVB-T2信号のフレームには、前述したように、T2フレームと、FEFパートとがある。
【００３７】
DVB-T2信号の各フレームの先頭には、プリアンブルであるP1信号が配置される。
【００３８】
また、DVB-T2信号のフレームのうちのT2フレームについては、P1信号の後、プリアンブルであるP2信号と、ペイロードとしてのデータ信号(Data)とが配置される。
【００３９】
＜送信装置１の構成例＞
【００４０】
図３は、図１の送信装置１の構成例を示すブロック図である。
【００４１】
図３において、送信装置１は、P1符号化処理部１１、データ符号化処理部１２、直交変調部１３、D/A(Digital/Analog)変換部１４、周波数変換部１５、及び、アンテナ１６を有する。
【００４２】
P1符号化処理部１１は、384ビット信号生成部２１、DBPSK(Differential Binary Phase Shift Keying)変調部２２、スクランブル部２３、1Kキャリア生成部２４、CDS(Carrier-Distribution Sequence)テーブル２５、IFFT（Inverse Fast Fourier Transform）演算部２６、及び、P1信号生成部２７を有し、P1信号（所定の信号）を生成する。
384ビット信号生成部２１には、フレームのFFTサイズ、通信方式情報、及び、種類情報を表すS1信号及びS2信号が供給される。
【００４３】
384ビット信号生成部２１は、S1信号及びS2信号を、0と1とからなる所定の0/1系列にマッピングすることにより、384ビットの信号を生成し、DBPSK変調部２２に供給する。
【００４４】
DBPSK変調部２２は、384ビット信号生成部２１からの384ビットの信号に対してDBPSK変調を行い、その結果得られるI成分とQ成分からなるDBPSK変調信号を、スクランブル部２３に供給する。
【００４５】
スクランブル部２３は、DBPSK変調部２２から供給されるDBPSK変調信号をM系列で暗号化し（M系列との排他的論理和の演算を行い）、その暗号化後のDBPSK変調信号を、1Kキャリア生成部２４に供給する。
【００４６】
1Kキャリア生成部２４は、CDSテーブル２５に記憶されている有効キャリア番号を読み出す。さらに、1Kキャリア生成部２４は、CDSテーブル２５から読み出した有効キャリア番号を参照して、スクランブル部２３からの、I成分とQ成分からなるDBPSK変調信号を、1K(1024)本のサブキャリアのうちの384本の有効キャリアとしてのサブキャリアにマッピングし、そのマッピング後の1K本のサブキャリアとしての、I成分とQ成分からなる1K信号を、IFFT演算部２６に供給する。
【００４７】
CDSテーブル２５は、1K本のサブキャリアのうちの有効なキャリアである有効キャリアの番号（有効キャリア番号）を記憶している。
【００４８】
IFFT演算部２６は、1Kキャリア生成部２４からのI成分とQ成分からなる1K信号に対してIFFT演算を行うことにより、周波数領域の1K信号を、時間領域の1K信号である、I成分とQ成分からなるIFFT信号に変換し、P1信号生成部２７に供給する。
【００４９】
P1信号生成部２７は、IFFT演算部２６から供給されるIFFT信号である、時間領域の1K信号を、P1信号の元となる元信号として用いて、I成分とQ成分からなるP1信号を生成し、直交変調部１３に供給する。
【００５０】
すなわち、P1信号生成部２７は、IFFT演算部２６からの1K信号（元信号）、その1K信号の一部のコピーから得られる第１の重複信号、及び、1K信号の残りのコピーから得られる第２の重複信号を適宜配置することにより、第１の重複信号、1K信号、及び、第２の重複信号がその順で配置されたP1信号を生成する。
【００５１】
データ符号化処理部１２には、外部から、フレームサイズなどを表す信号や送信対象データ等が供給される。
【００５２】
データ符号化処理部１２は、外部からの、フレームサイズなどを表す信号や送信対象データ等に対して、暗号化、マッピング、IFFT演算等の符号化処理を行うことで、P2信号やデータ信号のI成分及びQ成分を生成し、直交変調部１３に供給する。
【００５３】
直交変調部１３は、P1信号生成部２７から供給されるP1信号、及び、データ符号化処理部１２から供給されるP2信号やデータ信号を適宜配置したT2フレームを構成し、さらに、そのT2フレームを含むDVB-T2信号を生成する。そして、直交変調部１３は、DVB-T2信号に対して直交変調を行い、その直交変調の結果得られるDVB-T2信号を、D/A変換部１４に供給する。
【００５４】
D/A変換部１４は、直交変調部１３からのDVB-T2信号に対してD/A変換を行い、その結果得られるアナログのDVB-T2信号を、周波数変換部１５に供給する。
【００５５】
周波数変換部１５は、D/A変換部１４からのDVB-T2信号に対して周波数変換を行い、その結果得られるRF(Radio Frequency)信号を、アンテナ１６に供給する。
【００５６】
アンテナ１６は、周波数変換部１５からのRF信号を、電波として送信（放射）する。
【００５７】
以上のように構成される送信装置１では、P1符号化処理部１１において、P1信号（所定の信号）が生成され、直交変調部１３に供給される。
【００５８】
また、データ符号化処理部１２において、外部からの送信対象データ等に対して、符号化処理が行われることで、P2信号やデータ信号が生成され、直交変調部１３に供給される。
【００５９】
直交変調部１３では、P1信号生成部２７からのP1信号、及び、データ符号化処理部１２からのP2信号やデータ信号からDVB-T2信号が生成され、直交変調が行われる。
【００６０】
直交変調部１３において、直交変調の結果得られるDVB-T2信号は、D/A変換部１４を介して、周波数変換部１５に供給され、RF信号に周波数変換された後、アンテナ１６を介して送信される。
【００６１】
＜1K信号の有効キャリア＞
【００６２】
図４は、図３の1Kキャリア生成部２４により生成される1K信号としての1K本のサブキャリアのうちの情報送信用キャリアを説明する図である。
【００６３】
DVB-T2では、1K信号としての1K本のサブキャリアのうちの、853本のサブキャリアが、情報を送信するための情報送信用キャリアに割り当てられている。
【００６４】
さらに、DVB-T2では、853本の情報送信用キャリアのうちの、384本の情報送信用キャリアが有効キャリアに割り当てられており、その384本の有効キャリアが、情報の実質的な送信に使用される。
【００６５】
図４において、長さの長い矢印は、853本の情報送信用キャリアのうちの、384本の有効キャリアを表しており、長さの短い矢印は、有効キャリア以外の情報送信用キャリアを表している。
【００６６】
＜P1信号の構成例＞
【００６７】
図５は、P1信号の構成例を示す図である。
【００６８】
P1信号は、図５に示すように、C-A-B構造と呼ばれる構造を有する。
【００６９】
P1信号は、1K信号のシンボルである実情報部A（元信号）、その実情報部Aの先頭側の一部分のコピーから得られる第１の重複信号である重複部C、及び、実情報部Aの残りの部分のコピーから得られる第２の重複信号である重複部Bを有する。
【００７０】
そして、P1信号においては、実情報部Aの前（時間的に先行する方向）に隣接する位置に、重複部Cが配置され、実情報部Bの後（時間的に後行する方向）に隣接する位置に、重複部Bが配置されている。
【００７１】
なお、1K信号のシンボルである実情報部Aは、1K=1024サンプル（のI成分及びQ成分）を有するが、重複部Cは、1024サンプルの実情報部Aの先頭側の542サンプルのコピーから得られる信号であり、重複部Bは、1024サンプルの実情報部Aの残りの482サンプルのコピーから得られる信号である。
【００７２】
以上から、1K信号は、長さ（サンプル数）Trが1024サンプルの実情報部A、長さTcが542サンプルの重複部C、及び、長さTbが482サンプルの重複部Bを有するので、2048サンプルの長さを有する。
【００７３】
したがって、1K信号の長さ（時間）TP1Aが、例えば、112μs（マイクロ秒）であるとすると、重複部Cの長さTP1Cは、59μsであり、重複部Bの長さTP1Bは、53μsである。
【００７４】
さらに、重複部Cは、実情報部Aの先頭側の一部分のコピーを、所定の周波数fshだけ高く周波数シフトした信号になっており、重複部Bも、実情報部Aの残りの部分のコピーを、所定の周波数fshだけ高く周波数シフトした信号になっている。
【００７５】
ここで、重複部Cとしては、実情報部Aの先頭側の一部分のコピーを、所定の周波数fshだけ周波数シフトした信号ではなく、実情報部Aの先頭側の一部分のコピーそのものを採用することができる。但し、重複部Cとしては、実情報部Aの先頭側の一部分のコピーを、所定の周波数fshだけ周波数シフトした信号を採用する方が、実情報部Aの先頭側の一部分のコピーそのものを採用する場合に比較して、特定の周波数への妨害に対する耐性を向上させること等ができる。
【００７６】
以上の点、重複部Bについても、同様である。
【００７７】
＜受信装置２の構成例＞
【００７８】
図６は、図１の受信装置２の構成例を示すブロック図である。
【００７９】
図６において、受信装置２は、アンテナ５１、周波数変換部５２、局部発振部５３、電力調整部５４、A/D(Analog/Digital)変換部５５、AGC５６、直交復調部５７、局部発振部５８、P1復号処理部５９、データ復号処理部６０、及び、出力部６１を有する。
【００８０】
アンテナ５１は、図３の送信装置１から送信されてくるDVB-T2信号のRF信号を受信（取得）し、そのRF信号の受信信号を、周波数変換部５２に供給する。
【００８１】
周波数変換部５２には、アンテナ５１から、受信信号（RF信号）が供給される他、局部発振部５３から、発振周波数FNC+BWの搬送波が供給される。
【００８２】
周波数変換部５２は、アンテナ５１から供給される受信信号（RF信号）と、局部発振部５３から供給される発振周波数FNC+BWの搬送波とを乗算することにより、RF信号である受信信号を、中心周波数FNCのIF(Intermidiate Frequency)信号に変換し、電力調整部５４に供給する。
【００８３】
局部発振部５３は、発振周波数FNC+BWの搬送波（再生キャリア）を生成し、周波数変換部５２に供給する。
【００８４】
電力調整部５４には、周波数変換部５２からIF信号が供給される他、AGC５６から、電力調整のゲインが供給される。
【００８５】
電力調整部５４は、AGC５６から供給されるゲインに従って、周波数変換部５２からのIF信号の電力を調整し、その電力の調整後のIF信号を、A/D変換部５４に供給する。
【００８６】
A/D変換部５５は、電力調整部５４から供給されるIF信号に対してA/D変換を行い、その結果得られるディジタルのIF信号を、AGC５６、及び、直交復調部５７に供給する。
【００８７】
AGC５６は、A/D変換部５５から供給されるIF信号に基づき、そのIF信号の電力を所定の一定値に維持するためのゲインを求めて、電力調整部５４に供給する。これにより、AGC５６は、A/D変換部５５から供給されるIF信号の電力が所定の一定値に維持されるように、電力調整部５４を制御する。
【００８８】
直交復調部５７には、A/D変換部５５から、IF信号が供給される他、局部発振部５８から、発振周波数BW等の搬送波が供給される。
【００８９】
直交復調部５７は、A/D変換部５５から供給されるIF信号を、局部発振部５８から供給される、発振周波数BW等の搬送波を用いて直交復調し、その直交復調の結果得られる、I成分とQ成分からなる復調信号（受信信号）を、P1復号処理部５９とデータ復号処理部６０に供給する。
【００９０】
局部発振部５８は、発振周波数BWの搬送波を生成し、直交復調部５７に供給する。
【００９１】
ここで、局部発振部５８には、P1復調処理部５９から、サブキャリア単位の搬送波周波数のオフセット量であるコースオフセット(coarse offset)Foffsetが供給される。
【００９２】
局部発振部５８は、P1復調処理部５９から供給されるコースオフセットFoffsetに従い、発振周波数BWを、周波数BW+Foffsetに変更する。これにより、直交復調部５７が出力する復調信号の、サブキャリア単位の周波数誤差が補正される。
【００９３】
なお、局部発振部５８の発振周波数が、周波数BW+Foffsetに変更されると、局部発振部５３の発振周波数も、周波数FNC+BW+Foffsetに変更される。
【００９４】
P1復号処理部５９は、直交復調部５７から供給される復調信号からP1信号を検出し、そのP1信号を復号する。P1復号処理部５９でのP1信号の復号によって得られる、そのP1信号に含まれるS1信号及びS2信号は、P1復号処理部５９からデータ復号処理部６０に供給される。
【００９５】
また、P1復調処理部５９は、直交復調部５７から供給される復調信号から、コースオフセットFoffsetを求め、局部発振部５８に供給する。
【００９６】
データ復号処理部６０は、P1復号処理部５９からのS1信号及びS2信号を用いて、直交復調部５７から供給される復調信号が、T2フレーム及びFEFパートのいずれ（の復調信号）であるかを認識する。
【００９７】
そして、直交復調部５７からの復調信号が、T2フレームである場合には、データ復号処理部６０は、P1復号処理部５９からのS1信号及びS2信号を用いて、直交復調部５７からの復調信号（T2フレーム）からP2信号を復号する。さらに、データ復号処理部６０は、P2信号を用いて、直交復調部５７から供給される復調信号からデータ信号を復号し、出力部６１に供給する。
【００９８】
なお、直交復調部５７からの復調信号が、FEFパートである場合には、データ復号処理部６０は、そのFEFパートについては、例えば、処理を行わず、さらに、AGC５６を制御することにより、そのFEFパートの区間、AGC５６を停止させ、ゲインを、停止直前の値にホールドさせる。
【００９９】
そして、その後、直交復調部５７からの復調信号が、T2フレームになると、データ復号処理部６０は、そのT2フレームの処理を行うとともに、AGC５６を制御することにより、AGC５６を動作を再開させる。
【０１００】
出力部６１は、データ復号処理部６０からのデータ信号を、必要に応じて処理して出力する。
【０１０１】
以上のように構成される受信装置２では、図３の送信装置１から送信されてくるDVB-T2信号のRF信号が、アンテナ５１で受信され、周波数変換部５２を介して、IF信号となって、電力調整部５４に供給される。
【０１０２】
電力調整部５４では、AGC５６からの制御に従い、すなわち、AGC５６から供給されるゲインに従い、そこに供給されるIF信号の電力が調整され、その電力の調整後のIF信号が、A/D変換部５４を介して、AGC５６、及び、直交復調部５７に供給される。
【０１０３】
AGC５６では、そこに供給されるIF信号に基づき、そのIF信号の電力を所定の一定値に維持するためのゲインが求められ、そのゲインに従って、電力調整部５４が制御される。
【０１０４】
また、直交復調部５７では、そこに供給されるIF信号が直交復調され、その直交復調の結果得られる復調信号が、P1復号処理部５９とデータ復号処理部６０に供給される。
【０１０５】
P1復号処理部５９では、直交復調部５７からの復調信号からP1信号が検出されて復号され、そのP1信号に含まれるS1信号及びS2信号が、データ復号処理部６０に供給される。
【０１０６】
データ復号処理部６０では、P1復号処理部５９からのS1信号及びS2信号を用いて、直交復調部５７からの復調信号から、P2信号、さらには、データ信号が復号され、必要に応じて、出力部６１に供給される。
【０１０７】
また、データ復号処理部６０は、P1復号処理部５９からのS1信号及びS2信号から、送信装置１からのDVB-T2信号をアンテナ５１で受信することによって得られる受信信号が、T2フレーム及びFEFパートのいずれであるかを認識する。
【０１０８】
そして、データ復号処理部６０は、受信信号が、FEFパートであることを認識した場合には、例えば、DVB-T2のインプリメンテイションガイドライン（非特許文献１）に従い、AGC５６を制御することにより、FEFパートの区間について、ゲインを、そのときの値にホールドさせる。
【０１０９】
なお、AGC５６のゲインのホールドは、データ復号処理部６０において、P1復号処理部５９からのS1信号及びS2信号から、受信信号が、T2フレームであることが認識されたときに解除される。
【０１１０】
＜P1復号処理部５９の構成例＞
【０１１１】
図７は、図６のP1復号処理部５９の構成例を示すブロック図である。
【０１１２】
図７において、P1復号処理部５９は、相関器７１、最大探索器７２、FFT演算部７３、CDS相関器７４、及び、デコード部７５を有する。
【０１１３】
相関器７１には、図６の直交復調部５７から、I成分とQ成分からなる復調信号が供給される。
【０１１４】
相関器７１は、直交復調部５７からの復調信号どうしの相関値（復調信号と、その復調信号の時間（軸）をずらした信号との相関値）を求め、最大探索器７２に供給する。
【０１１５】
最大探索器７２は、相関器７１からの相関値に基づいて、その相関値が最大になる復調信号の位置を、P1信号の位置として検出し、そのP1信号の位置を表すP1検出フラグを、FFT演算部７３に供給する。
【０１１６】
FFT演算部７３には、最大探索器７２から、P1検出フラグが供給される他、直交復調部５７から、復調信号が供給される。
【０１１７】
FFT演算部７３は、最大探索器７２からのP1検出フラグに基づいて、直交復調部５７からの復調信号に含まれるP1信号を検出し、そのP1信号に含まれる1K信号（図５の実情報部A）としての1024サンプルのI成分及びQ成分に対してFFT演算を行い、その結果得られる周波数領域の1K信号を、CDS相関器７４に供給する。
【０１１８】
さらに、FFT演算部７３は、FFT演算の結果得られる周波数領域の1K信号の開始を表すシンボルスタート信号を、CDS相関器７４に供給する。
【０１１９】
CDS相関器７４は、図示せぬメモリに記憶されている有効キャリア番号を参照して、その有効キャリア番号が表す位置に有効キャリアがある、1024本のサブキャリアとしての1K信号を、いわば基本の1K信号として（仮想的に）生成する。
【０１２０】
さらに、CDS相関器７４は、基本の1K信号の位置を、FFT演算部７３からのシンボルスタート信号が表す位置を基準として、サブキャリア単位でずらしながら、基本の1K信号と、FFT演算部７３からの1K信号との相関（以下、CDS相関ともいう）を求め、そのCDS相関に基づいて、FFT演算部７３からの1K信号における384本の有効キャリアとしてのサブキャリア（シンボル）の位置を認識する。
【０１２１】
そして、CDS相関器７４は、FFT演算部７３からの1K信号から、384本の有効キャリアとしてのサブキャリア（シンボル）を抽出し、デコード部７５に供給する。
【０１２２】
また、CDS相関器７４は、CDS相関に基づき、そのCDS相関が最大になるときの、基本の1K信号の位置のずらし量に対応する値を、コースオフセットFoffsetとして求め、局部発振部５８（図６）に供給する。
【０１２３】
ここで、局部発振部５８は、図６で説明したように、P1復調処理部５９（のCDS相関器７４）から供給されるコースオフセットFoffsetに従い、発振周波数BWを、周波数BW+Foffsetに変更し、これにより、直交復調部５７が出力する復調信号の、サブキャリア単位の周波数誤差が補正される。
【０１２４】
デコード部７５は、CDS相関器７４から供給される384本のサブキャリア（シンボル）のI成分及びQ成分に対して、暗号化の復号、DBPSK復調、並びに、S1信号及びS2信号の抽出を行い、その結果得られるS1信号及びS2信号を、P1信号の復号結果として、データ復号処理部６０（図６）に出力する。
【０１２５】
ここで、デコード部７５での、暗号化の復号とは、図３のスクランブル部２３で行われた暗号化を復号する処理（M系列との排他的論理和の演算）であり、デコード部７５でのDBPSK復調とは、図３のDBPSK変調部２２によるDBPSK変調を復調する処理である。また、デコード部７５でのS1信号及びS2信号の抽出とは、図３の384ビット信号生成部２１によるマッピングを元に戻す処理（マッピングされた情報を抽出する処理）である。
【０１２６】
以上のように構成されるP1復号処理部５９では、相関器７１において、直交復調部５７からの復調信号どうしの相関値が求められ、最大探索器７２に供給される。
【０１２７】
最大探索器７２では、相関器７１からの相関値に基づいて、直交復調部５７からの復調信号に含まれるP1信号の位置が検出され、そのP1信号の位置を表すP1検出フラグが、FFT演算部７３に供給される。
【０１２８】
FFT演算部７３では、最大探索器７２からのP1検出フラグに基づいて、直交復調部５７からの復調信号に含まれるP1信号が検出され、そのP1信号に含まれる1K信号に対するFFT演算が行われる。FFT演算の結果得られる周波数領域の1K信号は、その1K信号の開始を表すシンボルスタート信号とともに、FFT演算部７３からCDS相関器７４に供給される。
【０１２９】
CDS相関器７４では、FFT演算部７３からの1K信号、及び、シンボルスタート信号を用いて、CDS相関が求められる。そして、CDS相関器７４では、CDS相関に基づいて、コースオフセットFoffsetが求められ、局部発振部５８（図６）に供給される。
【０１３０】
また、CDS相関器７４では、CDS相関に基づいて、FFT演算部７３からの1K信号から、384本の有効キャリアとしてのサブキャリア（シンボル）が抽出され、デコード部７５に供給される。
【０１３１】
デコード部７５では、CDS相関器７４からの384本のサブキャリア（シンボル）から、S1信号及びS2信号が抽出され、データ復号処理部６０（図６）に出力される。
【０１３２】
以上のようにして、P1復号処理部５９では、直交復調部５７からの復調信号から、P1信号が検出され、S1信号及びS2信号に復号される。
【０１３３】
＜相関器７１の構成例＞
【０１３４】
図８は、図７の相関器７１の構成例を示すブロック図である。
【０１３５】
図８において、相関器７１は、相関算出部９０を有する。
【０１３６】
相関算出部９０は、周波数シフト器９１、遅延回路９２、乗算器９３、移動平均回路９４、遅延回路９５、遅延回路９６，９７、移動平均回路９８、及び、乗算器９９を有する。
【０１３７】
周波数シフト器９１には、直交復調部５７から、復調信号が供給される。
【０１３８】
周波数シフト器９１は、直交復調部５７からの復調信号と、exp{-j2πfsht}を乗算することにより、直交復調部５７からの復調信号の周波数シフトを行い、その結果得られる、周波数が周波数fshだけ低くシフトされた復調信号（以下、周波数シフト信号ともいう）を、遅延回路９２、及び、乗算器９７に供給する。なお、exp{x}は、ネイピア数eのx乗を表す。
【０１３９】
ここで、周波数シフト信号に含まれるP1信号（図５）の重複部Cの周波数は、復調信号に含まれるP1信号の実情報部Aの先頭側の一部分（重複部Cの元となった部分）の周波数と一致する。周波数シフト信号に含まれるP1信号の重複部Bの周波数も、復調信号に含まれるP1信号の実情報部Aの残りの一部分（重複部Bの元となった部分）の周波数と一致する。
【０１４０】
遅延回路９２は、周波数シフト器９１から供給される周波数シフト信号を、P1信号の重複部Cの長さTc分だけ遅延し、乗算器９３に供給する。
【０１４１】
乗算器９３には、遅延回路９２から、周波数シフト信号が供給される他、直交復調部５７から、復調信号が供給される。
【０１４２】
乗算器９３は、直交復調部５７からの復調信号と、遅延回路９２からの（I成分及びQ成分を有する）周波数シフト信号としての復調信号とを乗算し、その結果得られる乗算値を、移動平均回路９４に供給する。
【０１４３】
ここで、乗算器９３で行われる乗算は、I成分及びQ成分を有する復調信号と、同じくI成分及びQ成分を有する周波数シフト信号との乗算、すなわち、２つの複素数どうしの乗算であるが、その乗算において、２つの複素数のうちの一方の複素数としては、複素共役が用いられる。後述する乗算器９７の乗算においても、同様である。
【０１４４】
移動平均回路９４は、例えば、P1信号の実情報部Aの長さTr程度を、移動平均値を求めるための窓長として、乗算器９３から供給される乗算値の移動平均値を求め、復調信号どうしの第１の相関値（復調信号と、その復調信号を周波数シフトし、時間Tcだけ遅延した信号との相関値）Cとして、遅延回路９５に供給する。
【０１４５】
遅延回路９５は、その遅延回路９５が出力する第１の相関値C、及び、後述する移動平均回路９４が出力する第２の相関値Bの乗算器９９への供給が、同時に開始されるように、移動平均回路９４から供給される第１の相関値Cを、例えば、実情報部Aの長さTrだけ遅延し、乗算器９９に供給する。
【０１４６】
遅延回路９６には、直交復調部５７から、復調信号が供給される。
【０１４７】
遅延回路９６は、直交復調部５７からの復調信号を、P1信号の重複部Bの長さTb分だけ遅延し、乗算器９７に供給する。
【０１４８】
乗算器９７は、周波数シフト器９１からの周波数シフト信号としての復調信号と、遅延回路９６からの復調信号とを乗算し、その結果得られる乗算値を、移動平均回路９８に供給する。
【０１４９】
移動平均回路９８は、乗算器９７からの乗算値の移動平均値を、移動平均回路９４と同様にして求め、復調信号どうしの第２の相関値（復調信号を時間Tbだけ遅延した信号と、その復調信号を周波数シフトした信号との相関値）Bとして、乗算器９９に供給する。
【０１５０】
乗算器９９は、遅延回路９５からの第１の相関値Cと、移動平均回路９８からの第２の相関値Bとを乗算し、その第１の相関値Cと第２の相関値Bとの乗算値を、直交復調部５７が出力する復調信号どうしの相関値（復調信号と、その復調信号の時間をずらした信号との相関値）（以下、単純相関値ともいう）として求めて出力する。
【０１５１】
乗算器９９が出力する単純相関値は、後段の最大探索器７２（図７）での、復調信号に含まれるP1信号の位置の検出に用いる相関値（以下、検出用相関値ともいう）として、相関器７１から最大探索器７２に供給される。
【０１５２】
図９は、図８の相関算出部９０で求められる第１の相関値B、及び、第２の相関値Cの例を示す図である。
【０１５３】
ここで、直交復調部５７及び周波数シフト器９１が出力する復調信号（遅延がされていない復調信号）を、基準復調信号ともいい、遅延回路９２が出力する復調信号（重複部Cの長さTcだけ遅延された復調信号）を、第１の遅延復調信号ともいい、遅延回路９６が出力する復調信号（重複部Bの長さTbだけ遅延された復調信号）を、第２の遅延復調信号ともいうこととする。
【０１５４】
また、図９では、説明を分かりやすくするため、第１の遅延復調信号に含まれるP1信号の実情報部A、並びに、重複部B及びCを、それぞれ、実情報部A1、並びに、重複部B1及びC1と記載するとともに、第２の遅延復調信号に含まれるP1信号の実情報部A、並びに、重複部B及びCを、それぞれ、実情報部A2、並びに、重複部B2及びC2と記載する。
【０１５５】
例えば、基準復調信号の時間軸を基準とすると、遅延回路９２が出力する第１の遅延復調信号に含まれるP1信号は、直交復調部５７が出力する基準復調信号に含まれるP1信号の実情報部Aが開始する時刻t1から開始する。
【０１５６】
また、遅延回路９２が出力する第１の遅延復調信号に含まれるP1信号の重複部C1及びB1の周波数は、直交復調部５７が出力する基準復調信号に含まれるP1信号の実情報部Aの周波数と一致している。
【０１５７】
以上のような基準復調信号と第１の遅延復調信号との乗算値の、例えば、P1信号の実情報部Aの長さTrを窓長とする窓を用いた移動平均値である第１の相関値Cは、図９に示すようになる。
【０１５８】
すなわち、移動平均値を求めるための、長さTrの窓長の窓の始端が、基準復調信号に含まれるP1信号が開始する時刻t1にさしかかると、第１の遅延復調信号に含まれるP1信号の重複部C1と、その重複部C1の生成にコピーが用いられた、基準復調信号に含まれるP1信号の実情報部Aの先頭の部分との乗算値の影響により、その乗算値に対応する傾きで、移動平均値である第１の相関値Cは増加する。
【０１５９】
第１の相関値Cの増加は、時刻t1から、重複部Cの長さ（サンプル数）Tcの間だけ続き、その後、長さTrの窓の終端が、時刻t1にさしかかるまでの間、すなわち、時間（サンプル数）Tr-Tcの間、第１の相関値Cは、（ほぼ）一定になる。
【０１６０】
そして、長さTrの窓の終端が、時刻t1にさしかかると、その後は、第１の遅延復調信号に含まれるP1信号の重複部C1と、その重複部C1の生成にコピーが用いられた、基準復調信号に含まれるP1信号の実情報部Aの先頭の部分との乗算値の影響が小さくなっていくため、その乗算値に対応する傾きで、移動平均値である第１の相関値Cは減少する。
【０１６１】
第１の相関値Cの減少は、第１の遅延復調信号に含まれるP1信号の重複部C1と、その重複部C1の生成にコピーが用いられた、基準復調信号に含まれるP1信号の実情報部Aの先頭の部分との乗算値の影響がなくなるまでの間、すなわち、重複部C1の長さTcの間だけ続く。
【０１６２】
一方、周波数シフト器９１が出力する基準復調信号に含まれるP1信号は、遅延回路９６が出力する第２の遅延復調信号に含まれるP1信号の実情報部A2が終了する時刻t3に終了する。
【０１６３】
また、周波数シフト器９１が出力する基準復調信号に含まれるP1信号の重複部C及びBの周波数は、遅延回路９６が出力する第２の遅延復調信号に含まれるP1信号の実情報部A2の周波数と一致している。
【０１６４】
以上のような基準復調信号と第２の遅延復調信号との乗算値の、例えば、P1信号の実情報部Aの長さTrを窓長とする窓を用いた移動平均値である第２の相関値Bは、図９に示すようになる。
【０１６５】
すなわち、移動平均値を求めるための、長さTrの窓長の窓の始端が、基準復調信号に含まれるP1信号の重複部Bが開始する時刻t2、つまり、基準復調信号に含まれるP1信号が終了する時刻t3から、重複部Bの長さTbだけ前の時刻t2にさしかかると、基準復調信号に含まれるP1信号の重複部Bと、その重複部Bの生成にコピーが用いられた、第２の遅延復調信号に含まれるP1信号の実情報部A2の終わりの部分との乗算値の影響により、その乗算値に対応する傾きで、移動平均値である第２の相関値Bは増加する。
【０１６６】
第２の相関値Bの増加は、時刻t2から、重複部Bの長さTbの間、つまり、時刻t3=t2+Tbまで続く。その後、長さTrの窓の終端が、時刻t2にさしかかるまでの間、すなわち、時間Tr-Tbの間、第２の相関値Bは、（ほぼ）一定になる。
【０１６７】
そして、長さTrの窓の終端が、時刻t2にさしかかると、その後は、基準復調信号に含まれるP1信号の重複部Bと、その重複部Bの生成にコピーが用いられた、第２の遅延復調信号に含まれるP1信号の実情報部A2の終わりの部分との乗算値の影響が小さくなっていくため、その乗算値に対応する傾きで、移動平均値である第２の相関値Bは減少する。
【０１６８】
第２の相関値Bの減少は、基準復調信号に含まれるP1信号の重複部Bと、その重複部Bの生成にコピーが用いられた、第２の遅延復調信号に含まれるP1信号の実情報部A2の終わりの部分との乗算値の影響がなくなるまでの間、すなわち、重複部Bの長さTbの間だけ続く。
【０１６９】
図１０は、以上のような第１の相関値C、及び、第２の相関値Bから、相関算出部９０（の乗算器９９）で求められる単純相関値の例を示す図である。
【０１７０】
図８で説明したように、相関算出部９０では、遅延回路９５において、P1信号から求められた第１の相関値C、及び、第２の相関値Bの乗算器９９への供給が、同時に開始されるように、第１の相関値Cが遅延されて、乗算器９９に供給される。
【０１７１】
すなわち、第１の相関値C、及び、第２の相関値Bは、増加が開始するタイミングが一致する状態で、乗算器９９に供給される。
【０１７２】
その結果、乗算器９９において、第１の相関値Cと第２の相関値Bとが乗算されることにより求められる単純相関値は、図１０に示すようになる。
【０１７３】
すなわち、単純相関値は、時刻t2（図９）から、重複部Bの長さTbの間だけ、非線形に増加し、その後、所定の傾きで、時間2K=Tc-Tbの間だけ増加する。単純相関値は、所定の傾きで、時間2K=Tc-Tbの間だけ増加した後、重複部Bの長さTbの間だけ、（ほぼ）一定となり、その後、重複部Bの長さTbの間だけ、非線形に減少する。
【０１７４】
図８の相関器７１では、相関算出部９０において、以上のような単純相関値が求められ、復調信号に含まれるP1信号の位置の検出に用いる検出用相関値として、最大探索器７２（図７）に供給される。
【０１７５】
そして、最大探索器７２は、相関器７１からの検出用相関値に基づき、例えば、あらかじめ適切に決定された閾値以上の検出用相関値となる範囲（復調信号の時間軸上の範囲）を、P1信号の検出（探索）の対象とする探索範囲として、その探索範囲内で、検出用相関値が最大になる位置を、P1信号の位置として検出する。
【０１７６】
＜送信信号、受信信号、AGC５６のゲイン、及び、単純相関値の関係＞
【０１７７】
図１１は、送信装置１（図３）から送信されるDVB-T2信号のRF信号である送信信号、受信装置２（図６）において、送信装置１からの送信信号を受信することにより得られる受信信号としての、例えば、A/D変換部５５が出力する（電力調整後の）IF信号、AGC５６のゲイン(AGC Gain)、及び、相関器７１（図８）の相関算出部９０で求められる単純相関値の例を示す図である。
【０１７８】
図１１では、DVB-T2信号である送信信号に、T2フレームとFEFパートとが混在している。
【０１７９】
そして、FEFパートの区間（以下、FEF区間ともいう）（正確には、FEF区間のうちの、先頭のP1信号の区間を除く区間）の電力が、T2フレームの区間（以下、T2区間ともいう）の電力に比較して、極端に小さくなっている。
【０１８０】
さらに、図１１では、T2区間については、AGC５６が動作し、送信信号を受信することにより得られる受信信号の電力が一定値になるように、受信信号（の電力調整）のゲインが制御されている。
【０１８１】
また、図１１では、FEF区間については、DVB-T2のインプリメンテイションガイドライン（非特許文献１）に従い、AGC５６が停止され、ゲインが、停止直前の一定値にホールドされている。
【０１８２】
以上のように、T2フレームとFEFパートとが混在する送信信号を受信することにより得られる受信信号が、T2フレーム及びFEFパートのいずれであるかは、P1復号処理部５９において、そのT2フレーム又はFEFパートの先頭のP1信号を復号し、そのP1信号に含まれるS1信号及びS2信号を参照することにより認識することができる。
【０１８３】
P1信号を復号し、S1信号及びS2信号を得るには、FFT演算部７３（図７）でのFFT演算等の処理のために、一定の時間を要する。
【０１８４】
したがって、最大探索器７２（図７）が出力するP1検出フラグが表すP1信号の位置としての時刻から、S1信号及びS2信号を得るまで、すなわち、P1信号が検出されてから、S1信号及びS2信号が得られるまでには、一定の遅延時間が存在し、FEF区間について、正確に、AGC５６を停止させることが困難である。
【０１８５】
そのため、図１１では、FEF区間の先頭のP1信号の直後の、電力が極端に小さいFEFパートの電力に、AGC５６（図６）のゲインが追従し、その後、AGC５６が停止されて、ゲインが、T2フレームに適切な値よりも極端に大きな値にホールドされている。
【０１８６】
この場合、電力調整部５４（図６）において、電力が極端に小さいFEFパートの受信信号については、大きな値にホールドされたゲインによって、ある程度適切な電力に調整される。
【０１８７】
しかしながら、次のT2フレームの受信信号については、AGC５６が動作を開始するまでは、電力調整部５４において、大きな値のままのゲインによって、電力調整が行われ、そのために、先頭部分の電力が極端に大きいT2フレームの受信信号が、電力調整部５４から、A/D変換部５５、及び、直交復調部５７を介して、P1復号処理部５９に供給されることがある。
【０１８８】
この場合、P1復号処理部５９では、図８の相関器７１において、そのような電力が極端に大きい受信信号（復調信号）を用いて、単純相関値が求められるため、FEF区間の先頭のP1信号の位置付近の単純相関値に比較して、FEF区間の直後のT2区間の先頭のP1信号の位置付近の単純相関値は、極端に大になることがある。
【０１８９】
そのため、単純相関値において、熱雑音等に起因して局所的なピークが生じている場合には、そのピークも、極端に大になって、P1信号の検出のための閾値を超えてしまい、P1信号を誤検出することがある。
【０１９０】
図１１では、FEF区間の電力が、T2区間の電力に比較して、極端に小さくなっているが、逆に、FEF区間の電力が、T2区間の電力に比較して、極端に大きくなっている場合には、FEF区間の直後のT2区間の先頭のP1信号の位置付近の単純相関値が、極端に小さくなり、その結果、P1信号の検出のための閾値を超えないこととなって、P1信号が検出されないという誤検出を生じることがある。
【０１９１】
以上のように、P1信号の誤検出が生じると、フレーム（T2フレーム、FEFパート）の検出を、正確に行うことが困難となり、ひいては、T2フレームを復号することが困難となる。
【０１９２】
＜相関器７１の他の構成例＞
【０１９３】
そこで、図１２は、図７の相関器７１の他の構成例を示すブロック図である。
【０１９４】
なお、図１２において、図８の場合と対応する部分については、同一の符号を付してあり、以下では、その説明は、適宜省略する。
【０１９５】
図１２において、相関器７１は、相関算出部９０を有する点で、図８の場合と共通する。但し、図１２の相関器７１は、平均電力算出部１０１、及び、正規化部１０２が新たに設けられている点で、図８の場合と相違する。
【０１９６】
平均電力算出部１０１には、直交復調部５７（図６）から、復調信号（受信信号）が供給される。
【０１９７】
平均電力算出部１０１は、直交復調部５７からの復調信号の平均電力を算出し、正規化部１０２に供給する。
【０１９８】
正規化部１０２には、平均電力算出部１０１から、復調信号の平均電力が供給される他、相関算出部９０から、単純相関値が供給される。
【０１９９】
正規化部１０２は、相関算出部９０からの単純相関値を、平均電力算出部１０１からの復調信号の平均電力によって除算することにより、単純相関値を正規化した正規化相関値を求め、検出用相関値として、最大探索器７２（図７）に供給する。
【０２００】
最大探索器７２では、相関器７１の正規化部１０２からの検出用相関値としての正規化相関値に基づき、閾値を超える正規化相関値が最大になる復調信号の位置が、P1信号の位置として検出される。
【０２０１】
ここで、平均電力算出部１０１において、復調信号の平均電力を求めるのに用いる復調信号の区間としては、例えば、復調信号に含まれるP1信号の長さと同一の区間を採用することができる。すなわち、平均電力算出部１０１では、復調信号の2048（=1024×2）サンプルを用いて、その復調信号の平均電力を、順次算出することができる。
【０２０２】
この場合、復調信号に含まれるP1信号の区間に対応する正規化相関値を求めるのに用いられる平均電力の算出に、復調信号の、P1信号でない信号が影響することを防止すること等ができる。
【０２０３】
なお、平均電力算出部１０１において、復調信号の平均電力を求めるのに用いる復調信号の区間は、特に限定されるものではなく、任意の区間を採用することができる。
【０２０４】
図１３は、図１２の相関器７１の処理を説明するフローチャートである。
【０２０５】
ステップＳ１１において、相関算出部９０は、直交復調部５７からの復調信号どうしの相関値（復調信号と、その復調信号の時間をずらした信号との相関値）である単純相関値を求め、正規化部１０２に供給して、処理は、ステップＳ１２に進む。
【０２０６】
ステップＳ１２では、平均電力算出部１０１が、直交復調部５７からの復調信号の平均電力を求め、正規化部１０２に供給して、処理は、ステップＳ１３に進む。
【０２０７】
ステップＳ１３では、正規化部１０２が、相関算出部９０からの単純相関値を、平均電力算出部１０１からの復調信号の平均電力によって除算することにより、単純相関値を正規化した正規化相関値を求め、検出用相関値として、最大探索器７２（図７）に供給して、処理は終了する。
【０２０８】
以上のように、単純相関値を、復調信号の平均電力によって正規化することにより得られる正規化相関値は、復調信号（受信信号）の電力によらず、一定のレンジ内の値となるので、そのような正規化相関値を、検出用相関値として用いて、P1信号を検出することにより、P1信号の誤検出を防止すること等ができる。
【０２０９】
そして、P1信号の誤検出を防止することができる結果、T2フレーム及びFEFパートが混在する復調信号からのフレーム（T2フレーム、FEFパート）の検出を、正確に行うこと等ができる。
【０２１０】
なお、ステップＳ１１での単純相関値を求める処理と、ステップＳ１２での復調信号の平均電力を求める処理とは、どちらを先に行ってもよいし、同時に行ってもよい。
【０２１１】
＜本技術を適用したコンピュータの説明＞
【０２１２】
次に、上述した一連の処理は、ハードウェアにより行うこともできるし、ソフトウェアにより行うこともできる。一連の処理をソフトウェアによって行う場合には、そのソフトウェアを構成するプログラムが、マイクロコンピュータ等のコンピュータにインストールされる。
【０２１３】
そこで、図１４は、上述した一連の処理を実行するプログラムがインストールされるコンピュータの一実施の形態の構成例を示している。
【０２１４】
プログラムは、コンピュータに内蔵されている記録媒体としてのハードディスク２０５やROM２０３に予め記録しておくことができる。
【０２１５】
あるいはまた、プログラムは、リムーバブル記録媒体２１１に格納（記録）しておくことができる。このようなリムーバブル記録媒体２１１は、いわゆるパッケージソフトウエアとして提供することができる。ここで、リムーバブル記録媒体２１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０２１６】
なお、プログラムは、上述したようなリムーバブル記録媒体２１１からコンピュータにインストールする他、通信網や放送網を介して、コンピュータにダウンロードし、内蔵するハードディスク２０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０２１７】
コンピュータは、CPU(Central Processing Unit)２０２を内蔵しており、CPU２０２には、バス２０１を介して、入出力インタフェース２１０が接続されている。
【０２１８】
CPU２０２は、入出力インタフェース２１０を介して、ユーザによって、入力部２０７が操作等されることにより指令が入力されると、それに従って、ROM(Read Only Memory)２０３に格納されているプログラムを実行する。あるいは、CPU２０２は、ハードディスク２０５に格納されたプログラムを、RAM(Random Access Memory)２０４にロードして実行する。
【０２１９】
これにより、CPU２０２は、上述したフローチャートにしたがった処理、あるいは上述したブロック図の構成により行われる処理を行う。そして、CPU２０２は、その処理結果を、必要に応じて、例えば、入出力インタフェース２１０を介して、出力部２０６から出力、あるいは、通信部２０８から送信、さらには、ハードディスク２０５に記録等させる。
【０２２０】
なお、入力部２０７は、キーボードや、マウス、マイク等で構成される。また、出力部２０６は、LCD(Liquid Crystal Display)やスピーカ等で構成される。
【０２２１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２２２】
また、プログラムは、１のコンピュータ（プロセッサ）により処理されるものであっても良いし、複数のコンピュータによって分散処理されるものであっても良い。
【０２２３】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２２４】
なお、本技術の実施の形態は、上述した実施の形態に限定されるものではなく、本技術の要旨を逸脱しない範囲において種々の変更が可能である。
【０２２５】
例えば、上述のフローチャートで説明した各ステップは、１つの装置で実行する他、複数の装置で分担して実行することができる。
【０２２６】
また、１つのステップに複数の処理が含まれる場合には、その１つのステップに含まれる複数の処理は、１つの装置で実行する他、複数の装置で分担して実行することができる。
【０２２７】
さらに、本技術は、P1信号のようなプリアンブル信号を検出する場合の他、プリアンブル信号以外の信号を検出する場合にも適用することができる。
【０２２８】
ここで、本技術において検出の対象となる信号は、元信号と、その元信号の少なくとも一部のコピーから得られる重複信号とが配置された所定の信号であればよい。
【０２２９】
さらに、重複信号は、元の信号のすべてである必要はなく、また、P1信号の重複部C及びBのように、周波数シフトされている必要は、必ずしもない。
【０２３０】
そして、本技術は、DVB-T2以外の地上ディジタル放送や、地上ディジタル放送以外の、例えば、衛星放送や、ケーブルテレビ放送、その他の、所定の信号と、所定の信号の少なくとも一部のコピーから得られたコピー信号とを含む伝送信号が伝送される放送（通信）に適用することができる。
【０２３１】
なお、本技術は、以下のような構成をとることができる。
【０２３２】
＜１＞
元信号と、前記元信号の少なくとも一部のコピーから得られる重複信号とが配置された所定の信号を含む受信信号どうしの相関値を求める相関算出部と、
前記受信信号の平均電力を求める平均電力算出部と、
前記相関値を、前記平均電力で正規化した正規化相関値を求める正規化部と
を備える受信装置。
＜２＞
前記重複信号は、前記元信号の少なくとも一部のコピーを周波数シフトした信号であり、
前記相関算出部は、前記重複信号を元の周波数の信号に戻すように、前記受信信号を周波数シフトした周波数シフト信号と、前記受信信号との相関値を求める
＜１＞に記載の受信装置。
＜３＞
前記所定の信号は、プリアンブル信号である
＜１＞又は＜２＞に記載の受信装置。
＜４＞
前記平均電力算出部は、前記所定の信号の区間の平均電力を求める
＜１＞ないし＜３＞のいずれかに記載の受信装置。
＜５＞
前記正規化相関値に基づいて、前記所定の信号の位置を探索する探索部をさらに備える
＜１＞ないし＜４＞のいずれかに記載の受信装置。
＜６＞
元信号と、前記元信号の少なくとも一部のコピーから得られる重複信号とが配置された所定の信号を含む受信信号どうしの相関値を求める相関算出ステップと、
前記受信信号の平均電力を求める平均電力算出ステップと、
前記相関値を、前記平均電力で正規化した正規化相関値を求める正規化ステップと
を含む受信方法。
＜７＞
元信号と、前記元信号の少なくとも一部のコピーから得られる重複信号とが配置された所定の信号を含む受信信号どうしの相関値を求める相関算出部と、
前記受信信号の平均電力を求める平均電力算出部と、
前記相関値を、前記平均電力で正規化した正規化相関値を求める正規化部と
して、コンピュータを機能させるためのプログラム。
【符号の説明】
【０２３３】
１  送信装置，  ２  受信装置，  ３  通信路，  １１  P1符号化処理部，  １２  データ符号化処理部，  １３  直交変調部，  １４  D/A変換部，  １５  周波数変換部，  １６  アンテナ，  ２１  384ビット信号生成部，  ２２  DBPSK変調部，  ２３  スクランブル部，  ２４  1Kキャリア生成部，  ２５  CDSテーブル，  ２６  IFF演算部，  ２７  P1信号生成部，  ５１  アンテナ，  ５２  周波数変換部，  ５３  局部発振部，  ５４  電力調整部，  ５５  A/D変換部，  ５６  AGC，  ５７  直交復調部，  ５８  局部発振部，  ５９  P1復号処理部，  ６０  データ復号処理部，  ６１  出力部，  ７１  相関器，  ７２  最大探索器，  ７３  FFT演算部，  ７４  CDS相関器，  ７５  デコード部，  ９０  相関算出部，  ９１  周波数シフト器，  ９２  遅延回路，  ９３  乗算器，  ９４  移動平均回路，  ９５，９６  遅延回路，  ９７  乗算器，  ９８  移動平均回路，  ９９  乗算器，  １０１  平均電力算出部，  １０２  正規化部，  ２０１  バス，  ２０２  CPU，  ２０３  ROM，  ２０４  RAM，  ２０５  ハードディスク，  ２０６  出力部，  ２０７  入力部，  ２０８  通信部，  ２０９  ドライブ，  ２１０  入出力インタフェース，  ２１１  リムーバブル記録媒体
【図１】
2014171341.tif 000003
【図２】
2014171341.tif 000004
【図３】
2014171341.tif 000005
【図４】
2014171341.tif 000006
【図５】
2014171341.tif 000007
【図６】
2014171341.tif 000008
【図７】
2014171341.tif 000009
【図８】
2014171341.tif 000010
【図９】
2014171341.tif 000011
【図１０】
2014171341.tif 000012
【図１１】
2014171341.tif 000013
【図１２】
2014171341.tif 000014
【図１３】
2014171341.tif 000015
【図１４】
2014171341.tif 000016
【国際調査報告】
2014171341.tif 000017
2014171341.tif 000018
2014171341.tif 000019
2014171341.tif 000020